(57)【特許請求の範囲】
【請求項１】
挟持部と、ハンドル部と、をそれぞれ有する第一の部材と第二の部材とからなり、
前記挟持部には挟持面が形成されており、
前記第一の部材と第二の部材とは、前記挟持面が相対向するように、かつ、中心軸を中心として回動自在となるように、取り付けられており、
前記ハンドル部の開閉に応じて、前記挟持部も開閉するようにされていることにより、相対向している前記挟持面で物を挟み込むことができるようにされている挟持用工具であって、
前記第一の部材及び第二の部材の少なくとも何れか一方には、貫通孔が形成されており、前記貫通孔は、前記貫通孔を用いて前記挟持用工具を吊り下げたときに、前記ハンドル部が前記挟持部よりも下方に位置するような位置にあり、
前記貫通孔には、ピンオンリールのピンを取り付けるためのリング状部材が取り付けられていることを特徴とする挟持用工具。
【発明の詳細な説明】
【０００１】
【発明の属する技術分野】
本発明は、挟持用工具に関する。特に、吊り下げた際に挟持部よりもハンドル部の方が下に位置することとなるような貫通孔を備える挟持用工具に関する。
【０００２】
【従来の技術】
従来の挟持用工具は、挟持部と、ハンドル部と、をそれぞれ有する第一の部材と第二の部材とから構成されており、この第一の部材と第二の部材とは、挟持部に形成された挟持面が相対向するように、かつ、中心軸を中心として回動自在となるように、取り付けられており、ハンドル部の開閉に応じて、挟持部も開閉するようにされていることで、相対向している挟持面で物を挟み込むことができるようにされていた。
【０００３】
そして、このような挟持用工具をピンオンリールにつなげる場合には、環状に形成れたハンドル部自体にピンオンリールのピンを取り付け、または、ハンドル部に取り付けられたリングにピンオンリールのピンを取り付けるといった方法がとられていた。
【０００４】
【発明が解決しようとする課題】
しかしながら、このような方法で、挟持用工具をピンオンリールのピンに取り付けて胸ポケット等から吊り下げると、挟持用工具のハンドル部が挟持部よりも上になり、この挟持用工具を使用するために挟持部が上になるように持ち替える必要がある等取り扱いに不便であった。
【０００５】
そこで、本発明は、挟持用工具をピンオンリールのピンに取り付けて胸ポケット等から吊り下げた場合に、ハンドル部が挟持部よりも下に位置するように吊り下げることができる吊り下げ用の貫通孔を有する挟持用工具を提供することを目的とする。
【０００６】
【課題を解決するための手段】
以上の課題を解決するため、本発明は、挟持部と、ハンドル部と、をそれぞれ有する第一の部材と第二の部材とからなり、前記挟持部には挟持面が形成されており、前記第一の部材と第二の部材とは、前記挟持面が相対向するように、かつ、中心軸を中心として回動自在となるように、取り付けられており、前記ハンドル部の開閉に応じて、前記挟持部も開閉するようにされていることにより、相対向している前記挟持面で物を挟み込むことができるようにされている挟持用工具であって、前記第一の部材及び第二の部材の少なくとも何れか一方には、貫通孔が形成されており、前記貫通孔は、前記貫通孔を用いて前記挟持用工具を吊り下げたときに、前記ハンドル部が前記挟持部よりも下方に位置するような位置にあり、前記貫通孔には、ピンオンリールのピンを取り付けるためのリング状部材が取り付けられていることを特徴とする挟持用工具を提供する。
【０００７】
挟持用工具は、挟持部と、ハンドル部と、をそれぞれ有する第一の部材と第二の部材とからなっており、この挟持部には挟持面が形成されている。
【０００８】
そして、この第一の部材と第二の部材とは、それぞれの挟持面が相対向し、かつ、中心軸を中心として回動自在となるように、相互に取り付けられており、ハンドル部を開閉させることにより、挟持部も開閉し、この挟持部に形成されている挟持面で物を挟み込むことができるようにされている。
【０００９】
このような挟持用工具の第一の部材と第二の部材の少なくとも何れか一方に、本発明は、貫通孔を形成しており、この貫通孔は、この貫通孔を用いて挟持用工具を吊り下げたときに、挟持用工具のハンドル部が、挟持部よりも下方に位置するような位置にあるように形成されている。
【００１０】
このような貫通孔を設けることにより、挟持用工具をピンオンリールに取り付け胸ポケット等から吊り下げた場合にも、挟持用工具のハンドル部が下になるため、このハンドル部をつかんで、そのまますぐに挟持用工具を使用することができるようになり、即ち、挟持用工具を使用するために挟持部が上になるように持ち替える必要がなくなり、便利である。
【００１１】
このような貫通孔の位置としては、第一の部材・第二の部材のうち、挟持部よりもハンドル部の方が重くなるような位置、即ち、第一の部材・第二の部材の重心位置よりも挟持部側の位置がある。
【００１２】
このような位置に貫通孔を設けることにより、この貫通孔にピンオンリールのピンを取り付け、吊り下げると、挟持部よりもハンドル部の方が下方に位置するようになる。
【００１３】
なお、このような貫通孔には、リング状部材を取り付けておくことにより、ピンオンリールのピンを取り付けることが可能になる。
【００１４】
【発明の実施の形態】
図１は、本発明の実施形態に係るプライヤー１０の正面図である。
【００１５】
プライヤー１０は、第一の挟持部１ａと、第一のハンドル部２ａと、を有する第一の部材３ａ並びに第二の挟持部１ｂと、第二のハンドル部２ｂと、を有する第二の部材３ｂとからなっており、第一の挟持部１ａには第一の挟持面４ａが、第二の挟持部１ｂには第二の挟持面４ｂがそれぞれ形成されている。
【００１６】
そして、この第一の部材３ａと第二の部材３ｂとは、第一の挟持面４ａと第二の挟持面４ｂとが相対向し、かつ、中心軸５を中心として回動自在となるように、相互に取り付けられており、第一のハンドル部２ａ及び第二のハンドル部２ｂを開閉させることにより、第一の挟持部１ａ及び第二の挟持部１ｂも開閉し、この第一の挟持部１ａ及び第二の挟持部１ｂに形成されている第一の挟持面４ａ及び第二の挟持面４ｂで物を挟み込むことができるようにされている。
【００１７】
プライヤー１０では、第一の部材３ａには第一の貫通孔６ａが、第二の部材３ｂには第二の貫通孔６ｂが、それぞれ設けられており、第一の貫通孔６ａ及び第二の貫通孔６ｂには、それぞれリング７が取り付けられている。
【００１８】
そしてこのリング７に、ピンオンリールのピン８を取り付けることにより、プライヤー１０をピンオンリールに取り付け、胸ポケット等に吊り下げることが可能となる。
【００１９】
ここで、第一の貫通孔６ａは、第一の部材３ａの内で、この第一の貫通孔６ａをはさんで、第一の挟持部１ａよりも第一のハンドル部２ａの方が重くなるような位置、即ち、第一の部材３ａの重心位置よりも第一の挟持部１ａ側の位置に設けられている。
【００２０】
また、第二の貫通孔６ｂも同様に、第二の部材３ｂの内で、この第二の貫通孔６ｂを挟んで、第二の挟持部１ｂよりも第二のハンドル部２ｂの方が重くなるような位置、即ち、第二の部材３ｂの重心位置よりも第二の挟持部１ｂ側の位置に設けられている。
【００２１】
以上のような位置に第一の貫通孔６ａと第二の貫通孔６ｂとを設けることにより、これらの貫通孔６ａ、６ｂを用いてプライヤー１０を吊り下げた場合に、挟持部１ａ、１ｂよりもハンドル部２ａ、２ｂの方が下に位置するようになる。
【００２２】
なお、本実施形態では、第一の貫通孔６ａ及び第二の貫通孔６ｂの二つの貫通孔を設けたが、何れか一方でもよく、また、図１において貫通孔６ａ、６ｂは、回転軸５よりもハンドル部２ａ、２ｂ側に設けられているが、貫通孔６ａ、６ｂはこれらを用いてプライヤー１０を吊り下げた場合にハンドル部２ａ、２ｂの方が挟持部１ａ、１ｂよりも下方に位置するようになれば、回転軸５よりも挟持部１ａ、１ｂ側に設けてもよい。
【００２３】
本実施形態においては、本発明に係る挟持用工具の一例としてプライヤーを挙げたが、本発明の適用例はプライヤーに限定されるものではない。
【００２４】
例えば、ペンチ、ハサミ、ニッパ、その他、物を挟み、或いは、切断するような工具であれば、本発明の適用の対象とすることができる。
【００２５】
【発明の効果】
本発明を以上のように構成したので、プライヤーをピンオンリールにより胸ポケット等から吊り下げた場合でも、ハンドル部が下方に位置するため、プライヤーの挟持部で物を挟み込む場合でも、プライヤーの挟持部が上になるようにプライヤーを持ち替える必要がなくなり、プライヤーの取り扱いに便利となる。
【００２６】
また、プライヤーにピンオンリール取り付けようのリング部材が取り付けられているため、プライヤーにピンオンリールを容易に取り付けることが可能となる。
【図面の簡単な説明】
【図１】本発明の一実施形態に係るプライヤー１０の正面図
【符号の説明】
１ａ  第一の挟持部
１ｂ  第二の挟持部
２ａ  第一のハンドル部
２ｂ  第二のハンドル部
３ａ  第一の部材
３ｂ  第二の部材
４ａ  第一の挟持面
４ｂ  第二の挟持面
５  回転軸
６ａ  第一の貫通孔
６ｂ  第二の貫通孔
７  リング
８  ピン
１０  プライヤー
【図１】
0004113709.tif 000002